(57)【要約】【解決課題】  不正器具や合鍵による不正解錠が完全に防止され、既設の遊技機に取り付けることができる遊技機の不正解錠防止装置を提供すること。【解決手段】  取付ベース１と、取付ベース１上に遊技機の施錠装置の鉤部材８０に向かって前進後退可能に設けられたスライド部材２と、当該スライド部材２を後退方向に作動させる電磁石３と、前記スライド部材２を前進方向に付勢するばね４と、前記スライド部材２に設けられ当該スライド部材２が前進状態にあるとき鉤部材８０の解錠方向への動きを抑制する規制部材６とを備えたことを主要な特徴とする。【選択図】      図２
0003101829.tif 000002
【実用新案登録請求の範囲】
【請求項１】
背面の遊技盤（７０ａ）が収容されるように前面枠（７０）が収容枠（７１）に対して扉状に取り付けられた遊技機（７）の前面枠（７０）と収容枠（７１）のいずれかの一方には鉤部材（８０）が、他方には係止部材（８１）がそれぞれ取り付けられ、前記鉤部材（８０）が係止部材（８１）に係止されたとき前面枠（７０）が収容枠（７１）に対して施錠され、前記鉤部材（８０）が係止部材（８１）への係止を解除されたときに解錠される施錠装置（８）の施錠状態における前記鉤部材（８０）の近傍に設置される不正解錠防止装置（ａ）であって、
取付ベース（１）と、当該取付ベース（１）上に前記鉤部材（８０）に向かって前進後退可能に設けられたスライド部材（２）と、当該スライド部材（２）を後退方向に作動させる電磁石（３）と、前記スライド部材（２）を前進方向に付勢するばね（４）と、前記スライド部材（２）に設けられ当該スライド部材（２）が前進状態にあるとき前記鉤部材（８０）の解錠方向への動きを抑制する規制部材（６）とを備えたことを特徴とする、遊技機の不正解錠防止装置。
【請求項２】
前記取付ベース（１）上にはほぼ方形の板からなるカム（５）を水平方向へ回転自在に取り付け、前記スライド部材（２）には前記カム（５）を囲む立壁状のカムガイド（２０）を設け、当該カムガイド（２０）は、スライド部材（２）が最大前進状態にあるときに前記カム（５）の少なくとも二つの隅角を含む後端部が収容されるカム収容部（２０ａ）と、スライド部材（２）が最大後退状態にあるとき前記カム（５）が突き当たる第１のストッパ部（２０ｂ）と、スライド部材（２）が最大後退状態からやや前進したとき前記カム（５）が突き当たる第２のストッパ部（２０ｃ）と、スライド部材２が最大後退位置から最大前進位置に復帰するときカム５の一端部が前記カム収容部２０ａへ導入されるように案内する導入ガイド部２０ｄとを有し、前記カム（５）とスライド部材（２）は次のＡ〜Ｄように制御される、請求項１に記載の遊技機の不正解錠防止装置。
Ａ．カム（５）の後端部がカム収容部（２０ａ）へ収容された状態でスライド部材（２）が最初に最大限に後退する第１次後退時にカム（５）の前端部の一方の側部寄り部分が第１のストッパ部（２０ｂ）に突き当たって当該カム（５）が一方へやや回転し、
Ｂ．スライド部材（２）が第１次後退姿勢からやや前進する第１次前進時にカム（５）の後端部の他方の側部寄り部分が第２のストッパ部（２０ｃ）に突き当たって当該カム（５）が一方へさらにやや回転し、
Ｃ．スライド部材（２）が最大限に後退する第２次後退時にカム（５）が最初の姿勢から一方へほぼ９０度回転した状態で第１のストッパ（２０ｂ）に突き当たり、
Ｄ．スライド部材（２）が第２次後退姿勢からさらに最大限に前進する第２次前進時にカム（５）が第２次後退姿勢から第２のストッパ（２０ｃ）及び導入ガイド部（２０ｄ）にガイドされてさらに一方へほぼ９０度回転しつつ前記カム収容部（２０ａ）へ収容される。
【請求項３】
前記カム（５）には、前記カム収容部（２０ａ）へ収容されている状態の前後の辺に平面視において三角形状の切欠部（５０）が形成されている、請求項２に記載の遊技機の不正解錠防止装置。
【請求項４】
前記規制部材（６）は、スライド部材（２）の先端部分の左右対称位置に対に設置されている、請求項1〜3のいずれかに記載の遊技機の不正解錠防止装置。
【請求項５】
規制部材６は、鉤部材８０が解錠状態から施錠方向に移動するときにその動きを妨げないように、所定の範囲で移動可能な状態でスライド部材２に取り付けられているとともに、鉤部材８０の解錠方向への動きを阻止する位置へ復帰できるようにばね６１で付勢されている、請求項１〜４のいずれかに記載の遊技機の不正解錠防止装置。
【考案の詳細な説明】
【技術分野】
【０００１】
本考案はパチンコ機，スロットル機その他の遊技機の不正解錠防止装置に関するものである。
【背景技術】
【０００２】
パチンコ機，スロットル機等の主な遊技機（台）は、主要遊技部品が搭載された遊技盤を主として収容する収容枠（外枠）と、この収容枠へ扉状に取り付けられた施錠可能な前面枠とから構成され、前面枠は正面に施錠可能なガラス扉を有するとともに背面に遊技盤が取り付けられている。
収容枠に対する前面枠の施錠装置は、収容枠の内側に設けられた係止部材と、前面枠の開閉端寄りの内側（遊技盤の側面）に設けられ、前記係止部材に係止されることにより施錠状態となる鉤部材と、鍵操作により前記鉤部材に前記係止部材との係止を解除する方向の解錠作用を付与するための錠部材（シリンダ錠）と、解錠作用を前記鉤部材に伝達する作動部材とを備えている。
ところで近年の遊技機は、遊技盤に搭載した制御回路のプログラムやメモリデータ等により、所定の確率で大当たり入賞が出るように構成された射幸性に富むものが大半であるところから、不当かつ高額な利益を得ることを目的として針金等の不正器具や複製された合鍵等により不正に解錠されることが多く、これを防止するため種々の防止手段が講じられている。
【０００３】
従来の不正解錠防止手段としては、例えば以下のようなものが提案されている。
第１は、鉤部材や作動部材を、前面枠と収容枠との隙間から差し込まれる針金等の器具が届き難い状態に設置することである（後記特許文献１，３）。
第２は、鉤部材と作動部材を複数設置してそれぞれ独立して解錠方向に作動させることである（後記特許文献１）。
第３は、前面枠の施錠状態において作動部材の移動を規制するロック部材を設け、解錠操作によりロック部材が作動部材の規制を解除し、次いで鉤部材が係止部材から外れて解錠されるように構成することである（後記特許文献２）。
【特許文献１】特開２００３−２６５８１６号
【特許文献２】特開２００３−１９３７２４号
【特許文献２】特開２００１−１８７２４８号
【考案の開示】
【考案が解決しようとする課題】
【０００４】
本考案は、前記の各従来技術が有する以下の課題を解決しようとするものである。
第１は、針金等の不正器具を遊技機前面の隙間から差し込んで不正解錠をしようとする場合に、そのような手段では解錠し難くなるようにしたものであって、不正解錠が完全に防止されるわけではないほか、構造が複雑でコスト高を招くことである。
第２は、不正に入手した合鍵を用いる場合には全く効果がないことである。
第３は、各機種に対して汎用性がなく、それぞれ構造が異なる施錠装置を有する既設の遊技機に取り付けることができないことである。
【課題を解決するための手段】
【０００５】
本考案に係る不正解錠防止装置は、前記課題を解決するため以下のように構成したものである。
すなわち、背面の遊技盤７０ａが収容状態となるように前面枠７０が収容枠７１に対して扉状に取り付けられた遊技機７の前面枠７０と収容枠７１のいずれかの一方には鉤部材８０が、他方には係止部材８１がそれぞれ取り付けられ、前記鉤部材８０が係止部材８１に係止されたとき前面枠７０が収容枠７１に対して施錠され、鉤部材８０が係止部材８１への係止を解除されたときに解錠される施錠装置８の施錠状態における前記鉤部材８０の近傍に設置される不正解錠防止装置ａであって、取付ベース１と、取付ベース１上へ前進後退可能に設けられたスライド部材２と、当該スライド部材２を後退方向に作動させる電磁石３と、前記スライド部材２を前進方向に付勢するばね４と、前記スライド部材２に設けられ当該スライド部材２が前進状態にあるとき前記鉤部材８０の解錠方向への動きを抑制する規制部材６とを備えたことを主要な特徴としている。
【考案の効果】
【０００６】
本考案に係る遊技機の不正解錠防止装置によれば、第１に、通常はスライド部材２がばね４により前進位置にあって鉤部材８０は規制部材６により解錠方向への動きが抑制されて解錠禁止（不能）状態になっており、例えば当該遊技場の管理者がスイッチ操作等により電磁石３を作動させない限り解錠禁止状態が維持されるので、外部から不正器具を差し込んで解錠することはできず、不正解錠を確実に防止することができる。構造が簡単でより低コストで提供することができる。
第２に、解錠禁止状態にあるときは不正に作製された合鍵によっても解錠することができない。
第３に、既設の遊技機にも設置することができる。
【考案を実施するための最良の形態】
【０００７】
図１は本考案に係る一実施形態の不正解錠防止装置を設置したパチンコ機の前面枠を９０度強開いた状態の概略斜視図、図２は本考案に係る実施形態の不正解錠防止装置の主要部を示す斜視図、図３〜図６は不正解錠防止装置の各作動状態を示しており、図３は各台した解錠禁止状態を、図４は解錠許容予備状態を、図５は解錠許容状態を、図６は解錠禁止予備状態をそれぞれ示す平面図ある。
【０００８】
図１で示すように、パチンコ機である遊技機７は、収容枠（外枠）７１とこの収容枠７１へ各ヒンジ７２により扉状に取り付けられた前面枠７０とを備え、前面枠７０の前面には施錠可能な扉状のガラス窓７０ｂが取り付けられている。
前面枠７０には、前面下部に図示しない打球発射装置や玉受皿等のパチンコゲームを展開するための遊技部品が搭載され、背面に遊技盤７０ａが保持されている。遊技盤７０ａの前面には図示しない釘や入賞器具等の遊技部品が取り付けられ、遊技盤７０ａの背面にはプリント基板その他の遊技部品が搭載されている。
【０００９】
収容枠７１に対する前面枠７０の施錠装置８は、前面枠７０の開閉端寄りの内側（遊技盤の側面）上下に設けられた鉤部材８０，８０と、収容枠７１の内側に各鉤部材８０と対応するように取り付けられた係止部材８１とを備えている。各鉤部材８０は、上下のホルダ８３，８３へスライド可能に保持された棒状の作動部材８２によって連結され、ばね８４により常時施錠される方向（図の形態では上方）に付勢され、図示しないストッパにより上限位置が規制されるように構成されている。
【００１０】
したがって、遊技盤７０ａが収容枠７１内に収まるように前面枠７０を完全に閉じると、各鉤部材８０の先端の傾斜部が対応する係止部材８１の下縁にガイドされて当該鉤部材８０が対応する係止部材８１に係止され、前面枠７０が収容枠７１に対して施錠される。
前面枠７０のガラス窓７０ｂよりも下部の開閉端寄り位置には、錠部材（シリンダ錠）８５が貫通状に取り付けられており、錠部材８５の正面側の鍵穴８６から図示しない鍵を挿入して一方向に回すと、各鉤部材８０が作動部材８２を通じて対応する係止部材８１から外れる方向（解錠方向）に作動して解錠される。
施錠装置８にはばね８４を使用せず、鍵穴８６から挿入した図示しない鍵を一方向に回すと鉤部材８０が施錠方向に作動し、鍵を他方向に回すと鉤部材８０が解錠方向に作動するように構成されていても差し支えない。
また、鉤部材８０が収容枠７１側に、係止部材８１が前面枠７０側に取り付けられていても実施することができる。
【００１１】
不正解錠防止装置ａは、後述の規制部材６が施錠装置８の施錠状態における鉤部材８０の解錠方向への動きを阻止する状態（図２〜図６）に設置される。すなわち、この実施形態では、係止部材８１が取り付けられている収容枠７１の内側の側面において、係止部材８１の近傍に設置される。
なお、鉤部材８０は施錠・解錠方向に作動するとき支点を中心として又は所定のガイドスリットに沿って回動する構成のものもあり、本考案に係る不正解錠防止装置はこのような構成の施錠装置に対しても使用することができる。
【００１２】
図２〜図６で示すように、この実施形態の不正解錠防止装置ａは、ほぼ方形で板状の取付ベース１を備えており、この取付ベース１には、遊技機７の収容枠７１又は前面枠７０の所要部分に図示しないねじにより取り付けるための複数の取付片１０が一体に形成されている。
取付ベース１の上には、先端部（図の右端部）寄り位置に図の右方向に向かって進退可能な板状のスライド部材２が取り付けられている。このスライド部材２は、両側部寄り位置に形成された各ガイドスリット２１に、取付ベース１に植設された一対のガイドピン１１，１１をそれぞれ案内した状態で取り付けられていおり、ガイドピン１１，１１の間隔の範囲で取付ベース１上を往復スライドする。
【００１３】
取付ベース１上の後端部寄り位置には、スライド部材２を引き付けて後退方向に作動させるソレノイドからなる電磁石３が取り付けられている。電磁石３の可動鉄心３０の先端部は連結部材４０を介してスライド部材２の後端部へ連結されており、前記可動鉄心３０にはばね（コイルばね）４が圧縮状態に装着され、スライド部材２は前記ばね４により常時前進方向へ付勢されるように構成されている。
スライド部材２の先端両側部寄り位置には、図２，３のように断面アングル状の板からなる規制部材６が取り付けられている。この規制部材６はスライド部材２が前進位置にあるとき、施錠装置８における鉤部材８０の解錠方向への動きを抑制（阻止）するように作用するが、板状の鉤部材８０は、鉤の向きが全て同じになるように設置されているとは限らないので、鉤部材８０が図３の実線のような向きである場合でも、同図の点線のような向きである場合でも使用できるように、規制部材６はスライド部材２の先端方向に向かって左右対称の位置に取り付けられている。
取付ベース１及びスライド部材２の所定の先端部分を除く部分は、取付ベース１に取り付けられた図示しないカバーケースによって覆われている。
【００１４】
スライド部材２に設けられている規制部材６，６は、スライド部材２がばね４により前進方向に付勢されているので、鉤部材８０が解錠状態から施錠状態に作動する（前面枠７０が閉じられる）ときに、鉤部材８０の動きを阻害することはないが、この実施形態では、鉤部材８０の解錠状態から施錠状態への移動をより円滑にするため以下のように構成されている。
すなわち、各規制部材６，６は、鉤部材８０が解錠状態から施錠方向に作動するときにその動きを妨げないように、所定の範囲で移動可能な状態でスライド部材２に取り付けられるとともに、鉤部材８０の解錠方向への動きを阻止する位置へ復帰できるようにばね６０で付勢されている。
この実施形態では図２及び３で示すように、スライド部材２の先端部分には、中央部に取付ピン６２を直立させるとともに取付ピン６２よりもやや先端寄り位置に起立したストッパ６０を設け、各規制部材６，６の水平部の端部を重ねて取付ピン６２へそれぞれ回動自在に取り付け、各規制部材６，６の起立部をばね６０によりストッパ６０へ押しつけている。
したがって、図１のばね８４により施錠方向へ付勢されている図３の実線で示す鉤部材８０が、図１の前面枠７０が閉鎖されるのに伴い同図の矢印ｂの方向に動く（施錠方向に移動する）とき、鉤部材８０は図３の二点鎖線で示すように不正開錠防止装置ａに向かって移動しつつ、その鉤の先端傾斜部が係止部材８１にガイドされて当該鉤部材８０の鉤の高さｈ分下降する。この過程で鉤部材８０が対応する規制部材６に突き当たると、規制部材６は鉤部材８０の移動に伴って同図の矢印ｃの方向へ変位（取付ピン６２を中心として回動）し、鉤部材８０が実線のように係止部材８１に係止して施錠状態となると同時にばね６１により、鉤部材８０の解錠方向への動きを阻止する原位置に復帰する。
【００１５】
以上は不正解錠防止装置ａの最も主要な構成であるが、この実施形態ではソレノイドの温度上昇による吸引力の低下を防止し、消費電力を軽減するため以下の構成を付加している。
すなわち、前記取付ベース１の上面の先端部寄り位置に、軸ピン５１によりほぼ方形の板からなるカム５を水平方向へ回転自在に取り付け、スライド部材２には前記カム５を囲む立壁状のカムガイド２０が形成されている。カム５の前後の辺には平面視三角形状の切欠部５０を形成するのが好ましい。また、カム５を取付ベース１に取り付けている軸ピン５１には、そのフランジ状の頭部とカム５との間に位置するように板ばね５２を取り付けて、スライド部材２が後述のように作動するときにカム５が踊らないようにしている。
カムガイド２０は、スライド部材２に貫通した孔によって構成されているが、スライド部材２の下面又は上面に設けられた座ぐり部や連続する立壁によって構成されていても実施することができる。スライド部材２の上面に座ぐり部や連続する立壁からなるカムガイド２０を設けるときは、スライド部材２のカムガイド２０の形成領域の幅の中央部に長さ方向に沿う図示しないガイドスリットを形成し、カム５とその軸ピン５１の頭部を当該ガイドスリットから上方に突出させる。
【００１６】
カムガイド２０には、スライド部材２が最大前進位置にあるときに前記カム５の少なくとも二つの隅角を含む後端部が収容されるカム収容部２０ａと、スライド部材２が最大後退位置にあるとき前記カム５が突き当たる第１のストッパ部２０ｂと、スライド部材２が最大後退位置からやや前進したとき前記カム５が突き当たる第２のストッパ部２０ｃと、スライド部材２が最大後退位置から最大前進位置に復帰するときカム５の一端部が前記カム収容部２０ａへ導入されるように案内する導入ガイド部２０ｄが形成されている。
【００１７】
この実施形態の不正解錠防止装置ａの作動（カム５とスライド部材２の動き）について、図３〜図６を参照しながら説明する。
不正解錠防止装置ａは遊技場に設置された各遊技機７に取り付け、同列に又は同一ブロックに設置してある全遊技機の防止装置ａにおける電磁石３が、当該遊技場の１箇所（管理室）の一つのスイッチ操作で一斉に作動するように配線する。
電磁石３が作動せずスライド部材２にばね４の付勢が作用している図３の状態では、スライド部材２は最大前進位置にあり、係止部材８１に係止されて施錠状態にある施錠装置８の鉤部材８０は、解錠方向（図の下方）の動きが図の上方の規制部材６によって阻止され、解錠禁止（不能）状態になっている。
【００１８】
故障等の理由によりあるブロックの特定の遊技機７の前面枠７０を開く必要が生じた場合、スイッチ操作により対象ブロックの全遊技機に取り付けられている装置ａの電磁石３を一斉に一回作動させる。このとき、スライド部材２は図３の状態から図４の状態に瞬間的に最大限に後退（第１次後退）し、カム５の前端部の下寄り部分が第１のストッパ部２０ｂに突き当たり、カム５は突き当たった状態で時計方向へやや（３０〜４０度）回転する（解錠許容予備状態）。
電磁石３の作動は瞬間的であるので、スライド部材２はばね４の付勢により図４の状態から図５の状態に、すなわち第１次後退姿勢からやや前進する第１次前進姿勢に直ちに移行し、これに伴ってカム５の後端部の上寄り部分が第２のストッパ部２０ｃに突き当たり、当該カム５は時計方向へさらにやや回転する（解錠許容状態）。図５では、カム５の片側前端部が第２のストッパ２０ｃの反対側の側部へ接触しているが、カム５の端部に三角形状の切欠部５０を形成し、カム５の端部がストッパ部２０ｃ，２０ｂに突き当たったとき切欠部５０内にストッパ部２０ｂ，２０ｃの角部が案内されるように構成されていれば、カム５の片側端部は反対側の側部へ接触しなくても円滑に作動する。
【００１９】
図５の状態ではスライド部材２は必要十分に後退しているので、規制部材６は鉤部材８０の解錠許容状態（鉤部材８０の下方への移動が妨げられない状態）になっており、この状態で故障等のある特定の遊技機の前面枠７０を開き、その後に当該ブロックの全遊技機における不正解錠防止装置ａの電磁石３を作動させる。
前記操作により、各装置ａでは図６のようにスライド部材２が最大限に後退する第２次後退位置に移動し、これによりカム５が最初の姿勢から時計方向へほぼ９０度回転した状態で第１のストッパ部２０ｂに瞬間的に突き当たり、装置ａは解錠禁止予備状態となる。電磁石３の停止によるばね４の付勢作用により、スライド部材２が第２次後退姿勢から最大限に前進する第２次前進位置（原位置）に前進するので、図３のようにカム５が第２のストッパ部２０ｃに接触して時計方向へさらにほぼ９０度回転しつつ導入ガイド部２０ｄに案内されてカム収容部２０ａへ収容される。したがって、規制部材６は鉤部材８０の解錠禁止状態となる。
【００２０】
例えば故障した特定の遊技機の修理が終了し、当該遊技機の前面枠７０を収容枠７１側へ閉めるとき、スイッチ操作により規制部材６の位置を図５の解錠許容状態とし、前記特定の遊技機の前面枠７０を閉めて施錠した後、再度のスイッチ操作により規制部材６を図３の解錠禁止状態に復帰させる。
しかし、この実施形態では、鉤部材８０の先端上部が先下がり傾斜しているので、前述のような操作をせずに、解錠禁止状態のままで当該特定の遊技機の前面枠７０を収容枠７１側へ閉める操作をすれば、自動的に施錠状態かつ解錠禁止状態となる。すなわち、前面枠を閉めることにより図３の二点鎖線で示す鉤部材８０の先下がり傾斜部が係止部材８１の下縁と摺動することにより、鉤部材８０が下降しながら矢印ｂのように前進するとともに規制部材６が左方向に押され、係止部材８１の下縁が鉤部材８０の先下がり傾斜部を超えると同時に鉤部材８０が上昇し、規制部材６が図４の規制位置に復帰して鉤部材８０が施錠状態かつ解錠禁止状態となる。
【００２１】
前記実施形態では、取付ベース１にカム５を取り付け、スライド部材２には前記カム５を囲むように立壁状のカムガイド２０を設けて、電磁石３におけるソレノイドの温度上昇による吸引力の低下を防止するとともに、消費電力を軽減しているが、本考案は前記のようなカム５とカムガイド２０を設けない場合でも実施することができる。
カム５とカムガイド２０を設けない場合には、スイッチ操作により電磁石３を作動させてスライド部材２を最大限に後退させて装置ａを解錠許容状態とし、この状態で必要な特定の遊技機の前面枠を開けた後、スイッチ操作により電磁石３への通電を停止することにより、スライド部材２を図３の原位置に復帰させて装置ａを解錠禁止状態とする。前記特定の遊技機の前面枠７０を閉めると、当該遊技機の施錠装置の鉤部材８０は前述のように自動的に施錠状態となり、不正解錠防止装置ａは解錠禁止状態に復帰する。
【００２２】
また、図３のようにスライド部材２が最大限前進した状態で図１の前面枠７０を閉めたとき、鉤部材８０を自動的にしかも円滑に施錠状態かつ解錠禁止状態に復帰させるためには、規制部材６の前面は鉤部材８０の先端部の傾斜部と同方向に傾斜する傾斜面となっているのが好ましい。
【図面の簡単な説明】
【００２３】
【図１】本考案に係る実施形態の不正解錠防止装置を設置したパチンコ機の前面枠を９０度強開いた状態の概略斜視図である。
【図２】本考案に係る実施形態の不正解錠防止装置の主要部を示す斜視図である。
【図３】図２の不正解錠防止装置の解錠禁止状態の拡大平面図である。
【図４】図２の不正解錠防止装置の解錠許容予備状態の概略平面図である。
【図５】図２の不正解錠防止装置の解錠許容状態の概略平面図である。
【図６】図２の不正解錠防止装置の解錠禁止予備状態の概略平面図である。
【符号の説明】
【００２４】
ａ  不正解錠防止装置
１  取付ベース
１０  取付片
２  スライド部材
２０  カムガイド
２０ａ  カム収容部
２０ｂ  第１のストッパ部
２０ｃ  第２のストッパ部
２０ｄ  導入ガイド部
２１  ガイドスリット
３  電磁石
３０  可動鉄心
４  ばね
５  カム
５０  切欠部
５１  軸ピン
５２  ばね
６  規制部材
６０  ストッパ
６１  ばね
６２  取付ピン
７  遊技機
７０  前面枠
７０ａ  遊技盤
７０ｂ  ガラス扉
７１  収容枠（外枠）
８  施錠装置
８０  鉤部材
８１  係止部材
８２  作動部材
８４  ばね
【図１】
0003101829.tif 000003
【図２】
0003101829.tif 000004
【図３】
0003101829.tif 000005
【図４】
0003101829.tif 000006
【図５】
0003101829.tif 000007
【図６】
0003101829.tif 000008